(57)【特許請求の範囲】
【請求項１】
原画像の圧縮画像データ、サムネイル画像の圧縮画像データ、並びに原画像およびサムネイル画像に関する画像情報を含む静止画データが記憶されている記憶媒体から、所定の静止画データに含まれる画像情報を取得する画像情報取得部と、
上記画像情報取得部で取得された画像情報に基づいて、上記所定の静止画データに、ディスプレイにおける静止画表示サイズと同じ画像サイズの大サムネイル画像の圧縮画像データが含まれているか否かを判別するサムネイル画像判別部と、
上記画像情報取得部で取得された画像情報に基づいて、上記所定の静止画データに係る原画像のサイズが一定サイズ以下であるか否かを判別する原画像サイズ判別部と、
上記原画像サイズ判別部で上記原画像のサイズが一定サイズ以下でないと判別され、かつ上記サムネイル画像判別部で上記大サムネイル画像の圧縮画像データが含まれていると判別されるとき、上記記憶媒体から上記大サムネイル画像の圧縮画像データを取得し、少なくとも上記原画像サイズ判別部で上記原画像のサイズが一定サイズ以下であると判別されるとき、または上記サムネイル画像判別部で上記大サムネイル画像の圧縮画像データが含まれていないと判別されるとき、上記記憶媒体から上記所定の静止画データに含まれる原画像の圧縮画像データを取得する画像データ取得部と、
上記画像データ取得部で取得された圧縮画像データにデコード処理を施して、上記ディスプレイに画像を表示するための第１の画像データを得る画像データ処理部とを備え、
上記画像データ取得部は、上記画像データ処理部が上記大サムネイル画像の圧縮画像データにデコード処理を施して上記第１の画像データを得た後に、上記記録媒体から、上記所定の静止画データに含まれる原画像の圧縮画像データをさらに取得し、
上記画像データ処理部は、上記画像データ処理部が上記大サムネイル画像の圧縮画像データにデコード処理を施して上記第１の画像データを得た後に、上記画像データ取得部で取得された原画像の圧縮画像データにデコード処理を施して、上記ディスプレイに画像を表示するための第２の画像データをさらに得る
画像表示装置。
【請求項２】
原画像の圧縮画像データ、サムネイル画像の圧縮画像データ、並びに原画像およびサムネイル画像に関する画像情報を含む静止画データが記憶されている記憶媒体から、所定の静止画データに含まれる画像情報を取得する画像情報取得ステップと、
上記画像情報取得ステップで取得された画像情報に基づいて、上記所定の静止画データに、ディスプレイにおける静止画表示サイズと同じ画像サイズの大サムネイル画像の圧縮画像データが含まれているか否かを判別するサムネイル画像判別ステップと、
上記画像情報取得ステップで取得された画像情報に基づいて、上記所定の静止画データに係る原画像のサイズが一定サイズ以下であるか否かを判別する原画像サイズ判別ステップと、
上記原画像サイズ判別ステップで上記原画像のサイズが一定サイズ以下でないと判別され、かつ上記サムネイル画像判別ステップで上記大サムネイル画像の圧縮画像データが含まれていると判別されるとき、上記記憶媒体から上記大サムネイル画像の圧縮画像データを取得し、少なくとも上記原画像サイズ判別ステップで上記原画像のサイズが一定サイズ以下であると判別されるとき、または上記サムネイル画像判別ステップで上記大サムネイル画像の圧縮画像データが含まれていないと判別されるとき、上記記憶媒体から上記所定の静止画データに含まれる原画像の圧縮画像データを取得する画像データ取得ステップと、
上記画像データ取得ステップで取得された圧縮画像データにデコード処理を施して、上記ディスプレイに画像を表示するための第１の画像データを得る画像データ処理ステップとを備え、
上記画像データ取得ステップでは、上記画像データ処理ステップで上記大サムネイル画像の圧縮画像データにデコード処理を施して上記第１の画像データを得た後に、上記記録媒体から、上記所定の静止画データに含まれる原画像の圧縮画像データをさらに取得し、
上記画像データ処理ステップでは、上記画像データ処理ステップで上記大サムネイル画像の圧縮画像データにデコード処理を施して上記第１の画像データを得た後に、上記画像データ取得ステップで取得された原画像の圧縮画像データにデコード処理を施して、上記ディスプレイに画像を表示するための第２の画像データをさらに得る
画像表示方法。
【発明の詳細な説明】
【技術分野】
【０００１】
この発明は、例えば、デジタルスチルカメラ等で撮像された静止画像を表示する画像表示装置および画像表示方法に関する。詳しくは、この発明は、記録媒体に、原画像の圧縮画像データの他に、ディスプレイにおける静止画表示サイズと同じ画像サイズの大サムネイル画像の圧縮画像データが存在する場合、当該大サムネイル画像の圧縮画像データにデコード処理を施してディスプレイに画像を表示するための画像データを得ることにより、高品質の画像を短い待ち時間で表示可能とした画像表示装置等に係るものである。
【背景技術】
【０００２】
従来、デジタルスチルカメラ、デジタルカメラレコーダ、撮像機能を有するＰＤＡ(PersonalDigital Assistants)、携帯電話機等に代表される撮像機能を有する小型の電子機器が知られている。これらの電子機器において、撮像して得られた画像データは、例えば、ＤＣＦ(Design rule for Camera File system)の規格に基づいてファイル化されて、保存される。
【０００３】
ＤＣＦは、日本電子工業振興協会（JEIDA(Japanese ElectronicIndustry Development Association )）で制定された規格であり、Exif-JPEG（Exchangeable Image File Format - Joint Photographic Experts Group）を基本に、フォルダ構造やメモリへの記録様式などを定義しており、異機種間での互換性を保証している。ＤＣＦに対応したデジタルスチルカメラ同士ならば、メーカーや機種が異なっていても画像を交換でき、記録メディアを対応プリンタに接続するだけでパソコンを介さずに印刷することができる。また、ＤＣＦ形式の画像ファイルには撮影機種や撮影日、サムネイルなどの情報も格納されている。
【０００４】
図２（ａ）は、デジタルスチルカメラに装着されるメモリカードに記憶される、静止画データ３００の構成例を示している。この静止画データ３００は、原画像の圧縮画像データ３１０と、サムネイル画像の圧縮画像データ３２０と、各種情報３３０を含んでいる。各種情報３３０には、撮影日時、撮影条件等の撮影情報、および原画像の縦横の画素数等の画像情報が含まれている。
【０００５】
ＤＣＦにおいて、原画像の画像サイズは規定されていない。近年、デジタルカメラの高性能化、高解像度化、高画質化と、メモリカード等の記憶媒体の大容量化に伴って、原画像の画像サイズは大きなサイズが主流となっている。図２（ａ）に示す静止画データ３００の構成例においては、水平方向の画素数が４０００画素で、垂直方向の画素数が３０００画素であることを示している。また、ＤＣＦにおいて、サムネイル画像の画像サイズは、水平方向の画像数が１６０画素で、垂直方向の画素数が１２０画素と規定されている。
【０００６】
上述したようにデジタルスチルカメラに装着されたメモリカードに記憶された静止画データをテレビ受信機で表示できるようになってきている。一般的に、最初、テレビ受信機のディスプレイにメモリカードに記憶されている各静止画データに対応したサムネイル画像が表示され、その後、ユーザのサムネイル画像の選択に伴ってメモリカードから所定の原画像の画像データが読み出されてデコード処理されてディスプレイに原画像データによる画像（主画像）の表示が行われる。
【０００７】
テレビ受信機における原画像の圧縮画像データに対するデコード処理は、例えば、テレビ受信機のコスト等の問題から、ソフトウェアで行われることが多い。その場合、原画像の画像サイズが大きいと、デコード処理に要する時間が長くなり、従って、ディスプレイに画像が表示されるまでの待ち時間が長くなってユーザにストレスを与える。
【０００８】
そこで、従来、最初、サムネイル画像を主画像の表示サイズ（ディスプレイにおける静止画表示サイズ）に拡大して表示し、その後、原画像の圧縮画像データに対するデコード処理が終了して主画像の表示が可能となったら、サムネイル画像の表示から主画像の表示に置き換えることで、待ち時間の短縮を図ることが提案されている（例えば、特許文献１の「０００７」の段落参照）。
【特許文献１】特開２００６−３０３９３７号公報
【発明の開示】
【発明が解決しようとする課題】
【０００９】
しかし、特許文献１に記載される技術では、最初、サムネイル画像を主画像の表示サイズに拡大して表示するものである。例えば、主画像の表示サイズが１９２０×１０８０のフルＨＤサイズであれば、サムネイル画像（１６０×１２０）が縦横それぞれ１０倍程度に拡大されることから、ディスプレイには、画質的には非常に劣った画像が表示されることとなる。
【００１０】
この発明の目的は、高品質の画像を短い待ち時間で表示可能とすることにある。
【課題を解決するための手段】
【００１１】
この発明の概念は、
原画像の圧縮画像データ、サムネイル画像の圧縮画像データ、並びに原画像およびサムネイル画像に関する画像情報を含む静止画データが記憶されている記憶媒体から、所定の静止画データに含まれる画像情報を取得する画像情報取得部と、
上記画像情報取得部で取得された画像情報に基づいて、上記所定の静止画データに、ディスプレイにおける静止画表示サイズと同じ画像サイズの大サムネイル画像の圧縮画像データが含まれているか否かを判別するサムネイル画像判別部と、
上記画像情報取得部で取得された画像情報に基づいて、上記所定の静止画データに係る原画像のサイズが一定サイズ以下であるか否かを判別する原画像サイズ判別部と、
上記原画像サイズ判別部で上記原画像のサイズが一定サイズ以下でないと判別され、かつ上記サムネイル画像判別部で上記大サムネイル画像の圧縮画像データが含まれていると判別されるとき、上記記憶媒体から上記大サムネイル画像の圧縮画像データを取得し、少なくとも上記原画像サイズ判別部で上記原画像のサイズが一定サイズ以下であると判別されるとき、または上記サムネイル画像判別部で上記大サムネイル画像の圧縮画像データが含まれていないと判別されるとき、上記記憶媒体から上記所定の静止画データに含まれる原画像の圧縮画像データを取得する画像データ取得部と、
上記画像データ取得部で取得された圧縮画像データにデコード処理を施して、上記ディスプレイに画像を表示するための第１の画像データを得る画像データ処理部とを備え、
上記画像データ取得部は、上記画像データ処理部が上記大サムネイル画像の圧縮画像データにデコード処理を施して上記第１の画像データを得た後に、上記記録媒体から、上記所定の静止画データに含まれる原画像の圧縮画像データをさらに取得し、
上記画像データ処理部は、上記画像データ処理部が上記大サムネイル画像の圧縮画像データにデコード処理を施して上記第１の画像データを得た後に、上記画像データ取得部で取得された原画像の圧縮画像データにデコード処理を施して、上記ディスプレイに画像を表示するための第２の画像データをさらに得る
画像表示装置にある。
【００１２】
この発明においては、記憶媒体には、原画像の圧縮画像データ、サムネイル画像の圧縮画像データ、並びに原画像およびサムネイル画像に関する画像情報を含む静止画データが記憶されている。この記憶媒体は、例えば、デジタルスチルカメラに装着されるメモリカード等であって、静止画データはＤＣＦ形式で記録されている。
【００１３】
所定の静止画データに係る画像を表示する際、当該静止画データにディスプレイにおける静止画表示サイズと同じ画像サイズの大サムネイル画像の圧縮画像データが含まれている場合には、記憶媒体から当該大サムネイル画像の圧縮画像データが取得されてデコード処理が施されて、ディスプレイに画像を表示するための画像データが得られる。ここで、ディスプレイにおける静止画表示サイズとは、原画像データによる画像（主画像）の表示サイズを意味する。この場合、当該大サムネイル画像の圧縮画像データに対するデコード処理時間は、原画像の圧縮画像データに対するデコード処理時間に比べて、短くて済む。また、この場合、得られる画像データは、ディプレイにおける静止画表示サイズに対応したものであり、画像の拡大処理をせずに、そのまま使用できる。
【００１４】
一方、所定の静止画データに係る画像を表示する際、当該静止画データに大サムネイル画像の圧縮画像データが含まれていない場合には、記憶媒体から所定の静止画データに含まれている原画像の圧縮画像データが取得されてデコード処理およびスケーリング処理が施されて、ディスプレイに画像を表示するための画像データが得られる。
【００１５】
このように、この発明においては、静止画データにディスプレイにおける静止画表示サイズと同じ画像サイズの大サムネイル画像の圧縮画像データが含まれている場合には、当該大サムネイル画像の圧縮画像データを用いて、ディスプレイに画像を表示するための画像データを得るようにしたものであり、ディスプレイに高品質の画像を短い待ち時間で表示することが可能となる。
【００１６】
また、この発明において、例えば、画像データ取得部は、画像データ処理部が大サムネイル画像の圧縮画像データにデコード処理を施して第１の画像データを得た後に、記録媒体から、所定の静止画データに含まれる原画像の圧縮画像データをさらに取得し、画像データ処理部は、画像データ処理部が大サムネイル画像の圧縮画像データにデコード処理を施して第１の画像データを得た後に、画像データ取得部で取得された原画像の圧縮画像データにデコード処理を施して、ディスプレイに画像を表示するための第２の画像データをさらに得る、ようにされてもよい。
【００１７】
この場合、最初ディスプレイに大サムネイル画像が表示されるが、その後に、ディスプレイの画像表示が原画像データによる画像に置き換えられるものであり、ディスプレイの表示画像の画質を高めることが可能となる。例えば、カメラ側でサムネイル画像の圧縮画像データを生成する際の帯域制限に比べて、原画像の圧縮画像データをデコード処理した後のダウンスケーリング時における帯域制限を緩やかにし、画質優先で解像度を落とすようにしてあれば、上述したような画像の置き換えによりディスプレイの表示画像の画質は高くなる。
【００１８】
また、この発明において、例えば、ユーザが高速モードを選択するユーザ操作部をさらに備え、画像データ取得部は、ユーザ操作部で高速モードが選択されており、かつサムネイル画像判別部で大サムネイル画像の圧縮画像データが含まれていると判別されるとき、記憶媒体から大サムネイル画像の圧縮画像データを取得し、少なくともユーザ操作部で高速モードが選択されていないとき、またはサムネイル画像判別部で大サムネイル画像の圧縮画像データが含まれていないと判別されるとき、記憶媒体から所定の静止画データに含まれる原画像の圧縮画像データを取得する、ようにされてもよい。
【００１９】
この場合、高速モードが選択されているときには、所定の静止画データに大サムネイル画像の圧縮画像データが含まれていれば、当該大サムネイル画像の圧縮画像データを用いてディスプレイに画像を表示するための画像データが得られるため、ディスプレイに高品質の画像を短い待ち時間で表示することが可能となる。一方、高速モードが選択されていないときには、所定の静止画データに含まれる原画像の圧縮画像データを用いてディスプレイに画像を表示するための画像データが得られるため、高速モードが選択されている場合に比べて待ち時間は長くなるが、ディスプレイに、最初から、より高品質の画像を表示することが可能となる。
【００２０】
また、この発明において、例えば、画像情報取得部で取得された画像情報に基づいて、所定の静止画データに係る原画像のサイズが一定サイズ以下であるか否かを判別する原画像サイズ判別部をさらに備え、画像データ取得部は、原画像サイズ判別部で原画像のサイズが一定サイズ以下でないと判別され、かつサムネイル画像判別部で大サムネイル画像の圧縮画像データが含まれていると判別されるとき、記憶媒体から大サムネイル画像の圧縮画像データを取得し、少なくとも原画像サイズ判別部で原画像のサイズが一定サイズ以下であると判別されるとき、またはサムネイル画像判別部で大サムネイル画像の圧縮画像データが含まれていないと判別されるとき、記憶媒体から所定の静止画データに含まれる原画像の圧縮画像データを取得する、ようにされてもよい。
【００２１】
ここで、一定サイズ以下の原画像の圧縮画像データにデコード処理を施してディスプレイに画像を表示するための画像データを得る際に要する時間は、一定時間以内に収まるものとする。この場合、原画像の画像サイズが一定サイズ以下のときは、原画像の圧縮画像データを用いてディスプレイに画像を表示するための画像データが得られるため、待ち時間が一定時間以下で、ディスプレイに、より高品質の画像を表示することが可能となる。一方、原画像の画像サイズが一定サイズ以下でないとき、所定の静止画データに大サムネイル画像の圧縮画像データが含まれていれば、当該大サムネイル画像の圧縮画像データを用いてディスプレイに画像を表示するための画像データが得られるため、ディスプレイに高品質の画像を短い待ち時間で表示することが可能となる。
【００２２】
また、この発明の概念は、
記憶媒体に記憶されている、サイズを異にする複数のサムネイル画像の圧縮画像データを含む静止画データに基づいて、ディスプレイに画像を表示するための画像データを得る画像表示装置であって、
上記記憶媒体から、サイズの小さな方から上記サムネイル画像の圧縮画像データを順に取得する画像データ取得部と、
上記画像データ取得部で順に取得されたサムネイル画像の圧縮画像データにデコード処理を施して、上記ディスプレイに画像を表示するための画像データを得る画像データ処理部と
を備えることを特徴とする画像表示装置にある。
【００２３】
この発明においては、記憶媒体より画像サイズの小さな方からサムネイル画像の圧縮画像データが順に取得され、各圧縮画像データに対して順にデコード処理が施されて、ディスプレイに画像を表示するための画像データが得られる。そのため、ディスプレイに短時間で何らかの画像を表示でき、また、ディスプレイに表示される画像のサイズを順次大きくできる。
【００２４】
また、この発明において、例えば、画像データ処理部は、前のサムネイル画像の画像サイズが次のサムネイル画像のサイズに順次近づくように、前のサムネイル画像に対応したデコード処理後の画像データに画像拡大処理を施す、ようにされてもよい。この場合、あるサムネイル画像から次のサムネイル画像への移行が、ユーザに違和感を与えることなくスムーズに行われる。
【発明の効果】
【００２５】
この発明によれば、記録媒体に、原画像の圧縮画像データの他に、ディスプレイにおける表示サイズと同じ画像サイズのサムネイル画像の圧縮画像データが存在する場合、当該サムネイル画像の圧縮画像データにデコード処理を施してディスプレイに画像を表示するための画像データを得るものであり、高品質の画像を短い待ち時間で表示でき、ユーザに与えるストレスを軽減できる。
【発明を実施するための最良の形態】
【００２６】
以下、図面を参照しながら、この発明の実施の形態について説明する。図１は、実施の形態としての画像表示システム１００の構成例を示している。
【００２７】
この画像表示システム１００は、画像表示装置としてのテレビ受信機１１０と、このテレビ受信機１１０にＵＳＢ(Universal Serial Bus)経由で接続されたカメラ（デジタルスチルカメラ、デジタルカメラレコーダ等）１３０と、テレビ受信機１１０にホームネットワーク（Ethernet）経由で接続されたパーソナルコンピュータ１４０とを有している。パーソナルコンピュータ１４０はルータ１４１を介してテレビ受信機１１０に接続されている。なお、「イーサネット」および「Ethernet」は登録商標である。
【００２８】
カメラ１３０には、例えば、記憶媒体としてのメモリカード１３１が着脱自在に装着されている。このメモリカード１３１には、当該カメラ１３０で撮像した各静止画に対応した静止画データが例えばＤＣＦ形式で記憶されている。メモリカード１３１には、図２（ａ）に構成例を示す静止画データ３００あるいは図２（ｂ）に構成例を示す静止画データ３００Ａが記憶されている。
【００２９】
静止画データ３００は、原画像の圧縮画像データ３１０と、サムネイル画像の圧縮画像データ３２０と、各種情報３３０を含んでいる。各種情報３３０には、撮影日時、撮影条件等の撮影情報、およびタイトル、原画像の縦横の画素数等の画像情報が含まれている。
【００３０】
一方、静止画データ３００Ａは、静止画データ３００と同様に、原画像の圧縮画像データ３１０と、サムネイル画像の圧縮画像データ３２０と、各種情報３３０を含んでおり、さらに、大サムネイル画像の圧縮画像データ３４０を含んでいる。
【００３１】
ここで、大サムネイル画像とは、後述するテレビ受信機１１０のディスプレイにおける静止画表示サイズと同じ画像サイズのサムネイル画像である。例えば、ディスプレイにおける静止画表示サイズがＨＤ(High Definition)、つまり、１９２０×１０８０であるとき、大サムネイル画像の画像サイズは１９２０×１０８０である。ここで、ディスプレイにおける静止画表示サイズとは、原画像データによる画像（主画像）の表示サイズを意味する。
【００３２】
なお、この静止画データ３００Ａにおいては、各種情報３３０には、撮影日時、撮影条件等の撮影情報、およびタイトル、原画像の縦横の画素数等の画像情報が含まれている他、大サムネイル画像の圧縮画像データ３４０に関する情報３３０Ａも含まれている。この情報３３０Ａは、大サムネイル画像の圧縮画像データ３４０が存在すること、大サムネイル画像の画素サイズ、大サムネイル画像の圧縮画像データ３４０の記憶エリア等を示す情報である。
【００３３】
パーソナルコンピュータ１４０の、例えば、記憶媒体としてのＨＤＤ(Hard DiskDrive)１４２にも、上述したカメラ１３０に装着されるメモリカード１３１と同様に、静止画データ（図２（ａ）、図２（ｂ）参照）が記憶されている。
【００３４】
図３は、テレビ受信機１１０の構成例を示している。このテレビ受信機１１０は、ＣＰＵ(CentralProcessing Unit)１１１と、ＲＯＭ(Read Only Memory)１１２と、ＲＡＭ(Random Access Memory)１１３と、ユーザ操作部１１４と、受信部１１５と、ＵＳＢインタフェース（ＵＳＢ  I/F）１１６と、イーサネットインタフェース（Ethernet I/F）１１７と、グラフィックス・ビデオ表示部１１８と、ディスプレイ１１９とを有している。ＣＰＵ１１１、ＲＯＭ１１２、ＲＡＭ１１３、ユーザ操作部１１４、受信部１１５、ＵＳＢインタフェース１１６、イーサネットインタフェース１１７およびグラフィックス・ビデオ表示部１１８は、内部バス１２０に接続されている。
【００３５】
ＣＰＵ１１１は、テレビ受信機１１０の動作を制御する。ＲＯＭ１１２は、ＣＰＵ１１１の処理プログラム等を格納する。ＲＡＭ１１３は、ＣＰＵ１１１のワークエリア等として機能する。ＣＰＵ１１１は、ＲＯＭ１１２に格納されている処理プログラムを必要に応じて読み出し、読み出した処理プログラムをＲＡＭ１１３に転送して展開し、当該展開された処理プログラムを読み出して処理を実行する。
【００３６】
ユーザ操作部１１４は、ユーザインタフェースを構成している。このユーザ操作部１１４は、各種操作釦が配されたパネル、およびリモートコントロールの送受信部により構成されている。ユーザは、このユーザ操作部１１４により、受信部１１５の選局操作、カメラ１３０あるいはパーソナルコンピュータ１４０内の静止画データを用いた静止画表示の操作等を行うことができる。
【００３７】
受信部１１５は、例えば、地上波デジタル放送、ＢＳデジタル放送、ＣＳデジタル放送等の放送信号を処理し、選局されたチャネルの画像データを出力する。この受信部１１５にはアンテナ端子１２１が設けられている。図示しないアンテナで受信された放送信号は、当該アンテナ端子１２１を通じて受信部１１５に入力される。
【００３８】
ＵＳＢインタフェース１１６からはＵＳＢコネクタ１２２が導出されている。上述のカメラ１３０は、このＵＳＢコネクタ１２２を利用してＵＳＢインタフェース１１６に接続される。また、イーサネットインタフェース１１７からはイーサネットコネクタ１２３が導出されている。上述のパーソナルコンピュータ１４０は、このイーサネットコネクタ１２３を利用してイーサネットインタフェース１１７に接続される。
【００３９】
グラフィックス・ビデオ表示部１１８は、受信部１１５で得られた画像データに対し、必要に応じて、マルチ画面処理、グラフィックスデータの重畳処理等を行って、ディスプレイ１１９に出力する画像データを得る。なお、カメラ１３０あるいはパーソナルコンピュータ１４０から送信されてくる原画像、あるいはサムネイル画像の圧縮画像データは、ＣＰＵ１１１およびＲＡＭ１１３により、ソフトウェアでデコード処理される。グラフィックス・ビデオ表示部１１８は、当該デコード処理で得られる原画像、あるいはサムネイル画像の画像データに対し、必要に応じて、画像のサイズ変更処理（スケーリング処理）、マルチ画面処理、グラフィックスデータの重畳処理等を行って、ディスプレイ１１９に出力する画像データを得る。
【００４０】
ディスプレイ１１９は、例えば、ＬＣＤ(Liquid Crystal Display)、ＰＤＰ(Plasma Display Panel)等のフラットパネルディスプレイで構成されている。この実施の形態において、ディスプレイ１１９は、フルＨＤ(High Definition)の表示が可能となっている。
【００４１】
図３に示すテレビ受信機１１０の動作を説明する。最初に、放送信号受信時における動作を説明する。図示しないアンテナで受信された放送信号はアンテナ端子１２１を通じて受信部１１５に入力される。この受信部１１５では、ユーザ操作部１１４によるユーザの選局操作に基づいて、所定のチャネルが選局され、当該所定のチャネルの画像データが得られる。
【００４２】
そして、受信部１１５で得られた所定のチャネルの画像データは、グラフィックス、ビデオ表示部１１８に供給される。このグラフィックス・ビデオ表示部１１８では、当該所定のチャネルの画像データに対して、必要に応じて、マルチ画面処理、グラフィックスデータの重畳処理等が行われる。このグラフィックス・ビデオ表示部１１８で処理された後の画像データはディスプレイ１１９に供給される。これにより、ディスプレイ１１９には、受信部１１５で選局されたチャネルの画像が表示される。
【００４３】
次に、テレビ受信機１１０における、カメラ１３０あるいはパーソナルコンピュータ１４０に存在する静止画データを利用した静止画表示時の動作例を、図４のフローチャートを参照して説明する。
【００４４】
まず、ＣＰＵ１１１は、ステップＳＴ１において、静止画表示処理を開始する。この場合、ＣＰＵ１１１は、ユーザがユーザ操作部１１４を操作して静止画表示を指示するとき、静止画表示処理を開始する。
【００４５】
次に、ＣＰＵ１１１は、ステップＳＴ２において、カメラ１３０に装着されているメモリカード１３１からＵＳＢ経由で各静止画データにおけるタイトル情報およびサムネイル画像（１６０×１２０）の圧縮画像データを読み出し、ＲＡＭ１１３に一時的に蓄積する。同様に、ＣＰＵ１１１は、ステップＳＴ２において、パーソナルコンピュータ１４０のＨＤＤ１４２からイーサネット経由で各静止画データにおけるタイトル情報およびサムネイル画像（１６０×１２０）の圧縮画像データを読み出し、ＲＡＭ１１３に一時的に蓄積する。
【００４６】
次に、ＣＰＵ１１１は、ステップＳＴ３において、ステップＳＴ２でＲＡＭ１１３に蓄積された各静止画データのサムネイル画像の圧縮画像データのデコードを行う。また、ＣＰＵ１１１は、ステップＳＴ３において、グラフィックス・ビデオ表示部１１８に、当該デコード処理後の各サムネイル画像の画像データおよびタイトル情報に基づいて、複数のサムネイル画像を一覧表示するための画像データを作成させ、ディスプレイ１１９に複数のサムネイル画像の一覧表示が行われるようにする。
【００４７】
次に、ユーザは、ステップＳＴ４において、ディスプレイ１１９に表示された複数のサムネイル画像の一覧表示を参照して、所望の画像を選択する。ユーザの選択操作は、ユーザ操作部１１４により行われる。
【００４８】
ステップＳＴ４でユーザが所望の画像を選択したとき、ＣＰＵ１１１は、ステップＳＴ５の処理に移る。すなわち、このステップＳＴ５において、ＣＰＵ１１１は、カメラ１３０あるいはパーソナルコンピュータ１４０から、ユーザが選択した画像に対応した静止画データに含まれる画像情報を読み出し、当該静止画データに、ディスプレイ１１９における静止画表示サイズと同じ画像サイズの大サムネイル画像の圧縮画像データが含まれているか否かを判別する。
【００４９】
静止画データに大サムネイル画像の圧縮画像データが含まれているとき、ＣＰＵ１１１は、ステップＳＴ６において、カメラ１３０あるいはパーソナルコンピュータ１４０から、当該大サムネイル画像の圧縮画像データを読み出し、ＲＡＭ１１３に一時的に蓄積する。そして、ＣＰＵ１１１は、ＲＡＭ１１３に蓄積した大サムネイル画像の圧縮画像データに対してデコード処理を施して、ディスプレイ１１９に画像を表示するための画像データを得る。
【００５０】
次に、ＣＰＵ１１１は、ステップＳＴ７において、デコード処理後の画像データをグラフィックス・画像表示部１１８を介して、ディスプレイ１１９に供給し、ディスプレイ１１９に大サムネイル画像データによる画像表示を行う。この場合、ディスプレイ１１９には、当該ディスプレイ１１９における静止画表示サイズと同じ画像サイズのサムネイル画像が表示される。ＣＰＵ１１１は、このステップＳＴ７の処理の後に、ステップＳＴ８に移る。
【００５１】
上述のステップＳＴ５で静止画データに大サムネイル画像の圧縮画像データが含まれていないとき、ＣＰＵ１１１は、直ちに、ステップＳＴ８に進む。ＣＰＵ１１１は、ステップＳＴ８において、カメラ１３０あるいはパーソナルコンピュータ１４０から、当該静止画データに含まれている原画像の圧縮画像データを読み出し、ＲＡＭ１１３に一時的に蓄積する。そして、ＣＰＵ１１１は、ＲＡＭ１１３に蓄積した原画像の圧縮画像データに対してデコード処理を施す。
【００５２】
次に、ＣＰＵ１１１は、ステップＳＴ９において、デコード処理後の画像データに対して、グラフィックス・ビデオ表示部１１８で、画像サイズをディスプレイ１１９における静止画表示サイズに合わせるダウンスケーリングの処理を施し、ディスプレイ１１９に原画像データによる画像表示を行う。ＣＰＵ１１１は、このステップＳＴ９の処理の後に、ステップＳＴ１０に移り、静止画表示処理を終了する。
【００５３】
上述したように、図１に示す画像表示システム１００のテレビ受信機１１０においては、静止画表示時に、ユーザが選択した画像に係る静止画データに大サムネイル画像の圧縮画像データが含まれている場合には、カメラ１３０またはパーソナルコンピュータ１４０から当該大サムネイル画像の圧縮画像データを読み出し、当該画像データに対してデコード処理を施し、ディスプレイ１１９に、当該ディスプレイ１１９における静止画表示サイズと同じ画像サイズの大サムネイル画像を表示するものである。
【００５４】
この場合、大サムネイル画像の圧縮画像データのデコード処理に要する時間は、原画像の圧縮画像データのデコード処理に要する時間に比べて短くなる。また、大サムネイル画像の画像サイズは、ディスプレイ１１９における静止画表示サイズと同じであり、デコード処理後の画像データを、画像の拡大処理を施すことなく、そのままディスプレイ１１９に供給できる。
【００５５】
したがって、図１に示す画像表示システム１００のテレビ受信機１１０においては、ユーザが選択した画像に係る静止画データに大サムネイル画像の圧縮画像データが含まれている場合には、ディスプレイ１１９に高品質の画像を短い待ち時間で表示できる。
【００５６】
また、図１に示す画像表示システム１００のテレビ受信機１１０においては、ディスプレイ１１９に大サムネイル画像が表示された後に、ディスプレイ１１９の画像表示が原画像データによる画像に置き換えられるものであり、ディスプレイ１１９に最終的に表示される画像の画質を高めることができる。例えば、カメラ側でサムネイル画像の圧縮画像データを生成する際の帯域制限に比べて、原画像の圧縮画像データをデコード処理した後のグラフィックス・ビデオ表示部１１８におけるダウンスケーリング時における帯域制限を緩やかにし、画質優先で解像度を落とすようにしてあれば、上述したような画像の置き換えによりディスプレイ１１９の表示画像の画質は高くなる。
【００５７】
次に、テレビ受信機１１０における、カメラ１３０あるいはパーソナルコンピュータ１４０に存在する静止画データを利用した静止画表示時の他の動作例を、図５のフローチャートを参照して説明する。この動作例は、ユーザが、ユーザ操作部１１４により、高速モードを選択可能とした例である。この図５において、図４と対応するステップには同一符号を付し、その詳細説明を省略する。
【００５８】
ステップＳＴ４でユーザが所望の画像を選択したとき、ＣＰＵ１１１は、ステップＳＴ１１の処理に移る。すなわち、このステップＳＴ１１において、ＣＰＵ１１１は、高速モードが選択されているか否かを判別する。高速モードが選択されているとき、ＣＰＵ１１１は、ステップＳＴ５に進み、カメラ１３０あるいはパーソナルコンピュータ１４０から、ユーザが選択した画像に対応した静止画データに含まれる画像情報を読み出し、当該静止画データに、ディスプレイ１１９における静止画表示サイズと同じ画像サイズの大サムネイル画像の圧縮画像データが含まれているか否かを判別する。一方、高速モードが選択されていないとき、ＣＰＵ１１１は、直ちに、ステップＳＴ８に進む。この図５のフローチャートにおける、その他のステップについては、図４のフローチャートと同様である。
【００５９】
テレビ受信機１１０が図５のフローチャートで示すように動作する場合、当該テレビ受信機１１０は、静止画表示時に、高速モードが選択されているときには、ユーザが選択した画像に係る静止画データに大サムネイル画像の圧縮画像データが含まれていれば、カメラ１３０またはパーソナルコンピュータ１４０から当該大サムネイル画像の圧縮画像データを読み出し、当該圧縮画像データに対してデコード処理を施し、ディスプレイ１１９に、当該ディスプレイ１１９における静止画表示サイズと同じ画像サイズの大サムネイル画像を表示する。したがって、ディスプレイ１１９に高品質の画像を短い待ち時間で表示できる。
【００６０】
一方、テレビ受信機１１０は、静止画表示時に、高速モードが選択されていないときには、ユーザが選択した画像に係る静止画データに大サムネイル画像の圧縮画像データが含まれていても、カメラ１３０またはパーソナルコンピュータ１４０から原画像の圧縮画像データを読み出し、当該圧縮画像データに対してデコード処理を施し、ディスプレイ１１９に、原画像データによる画像を表示する。したがって、高速モードが選択されている場合に比べてディスプレイ１１９に画像が表示されるまでの待ち時間は長くなるが、ディスプレイ１１９に最初から高品質の画像を表示できる。
【００６１】
なお、図５に示すフローチャートにおいては、高速モードが選択されているか否かを判別するステップＳＴ１１の処理の後に、大サムネイル画像データがあるか否かを判別するステップＳＴ５の処理が行われるようにしたものであるが、ステップＳＴ５の処理とステップＳＴ１１の処理の順番は逆であってもよい。この場合、最初大サムネイル画像データがあるか否かが判別され、大サムネイル画像データがある場合のみ高速モードが選択されているか否かが判別される。
【００６２】
次に、テレビ受信機１１０における、カメラ１３０あるいはパーソナルコンピュータ１４０に存在する静止画データを利用した静止画表示時のさらに他の動作例を、図６のフローチャートを参照して説明する。この動作例は、原画像のサイズが一定サイズ以下の場合には、大サムネイル画像の圧縮画像データがある場合においても、原画像データによる画像を表示する例である。この図６において、図４と対応するステップには同一符号を付し、その詳細説明を省略する。
【００６３】
ステップＳＴ４でユーザが所望の画像を選択したとき、ＣＰＵ１１１は、ステップＳＴ１２の処理に移る。すなわち、このステップＳＴ１２において、ＣＰＵ１１１は、カメラ１３０あるいはパーソナルコンピュータ１４０から、ユーザが選択した画像に対応した静止画データに含まれる画像情報を読み出し、当該静止画データに係る原画像のサイズが一定サイズ以下であるか否かを判別する。ここで、一定サイズ以下の原画像の圧縮画像データにデコード処理を施してディスプレイに画像を表示するための画像データを得る際に要する時間は、一定時間以内に収まるものとする。
【００６４】
原画像の画像サイズが一定サイズ以下でないとき、ＣＰＵ１１１は、ステップＳＴ５に進み、カメラ１３０あるいはパーソナルコンピュータ１４０から、ユーザが選択した画像に対応した静止画データに含まれる画像情報を読み出し、当該静止画データに、ディスプレイ１１９における静止画表示サイズと同じ画像サイズの大サムネイル画像の圧縮画像データが含まれているか否かを判別する。一方、原画像の画像サイズが一定サイズ以下であるとき、ＣＰＵ１１１は、直ちに、ステップＳＴ８に進む。この図６のフローチャートにおける、その他のステップについては、図４のフローチャートと同様である。
【００６５】
テレビ受信機１１０が図６のフローチャートで示すように動作する場合、当該テレビ受信機１１０は、静止画表示時に、原画像の画像サイズが一定サイズ以下でないときには、ユーザが選択した画像に係る静止画データに大サムネイル画像の圧縮画像データが含まれていれば、カメラ１３０またはパーソナルコンピュータ１４０から当該大サムネイル画像の圧縮画像データを読み出し、当該画像データに対してデコード処理を施し、ディスプレイ１１９に、当該ディスプレイ１１９における静止画表示サイズと同じ画像サイズの大サムネイル画像を表示する。したがって、ディスプレイ１１９に高品質の画像を短い待ち時間で表示できる。
【００６６】
一方、テレビ受信機１１０は、静止画表示時に、原画像の画像サイズが一定サイズ以下であるときには、ユーザが選択した画像に係る静止画データに大サムネイル画像の圧縮画像データが含まれていても、カメラ１３０またはパーソナルコンピュータ１４０から原画像の圧縮画像データを読み出し、当該圧縮画像データに対してデコード処理を施し、ディスプレイ１１９に、原画像データによる画像を表示する。したがって、待ち時間が一定時間以下で、ディスプレイに、より高品質の画像を表示することが可能となる。
【００６７】
なお、図６に示すフローチャートにおいては、原画像の画像サイズが一定サイズ以下であるか否かを判別するステップＳＴ１２の処理の後に、大サムネイル画像データがあるか否かを判別するステップＳＴ５の処理が行われるようにしたものであるが、ステップＳＴ５の処理とステップＳＴ１２の処理の順番は逆であってもよい。この場合、最初大サムネイル画像データがあるか否かが判別され、大サムネイル画像データがある場合のみ原画像の画像サイズが一定サイズ以下であるか否かが判別される。
【００６８】
次に、テレビ受信機１１０における、カメラ１３０あるいはパーソナルコンピュータ１４０に存在する静止画データを利用した静止画表示時の別の動作例を、図７のフローチャートを参照して説明する。この動作例は、高速モードが選択されており、かつ、原画像のサイズが一定サイズ以下でない場合、大サムネイル画像の圧縮画像データがあれば、当該大サムネイル画像データによる画像を表示する例である。この図７において、図４と対応するステップには同一符号を付し、その詳細説明を省略する。
【００６９】
ステップＳＴ４でユーザが所望の画像を選択したとき、ＣＰＵ１１１は、ステップＳＴ１１に移る。すなわち、このステップＳＴ１１において、ＣＰＵ１１１は、高速モードが選択されているか否かを判別する。高速モードが選択されているとき、ＣＰＵ１１１は、ステップＳＴ５に進み、カメラ１３０あるいはパーソナルコンピュータ１４０から、ユーザが選択した画像に対応した静止画データに含まれる画像情報を読み出し、当該静止画データに、ディスプレイ１１９における静止画表示サイズと同じ画像サイズの大サムネイル画像の圧縮画像データが含まれているか否かを判別する。一方、高速モードが選択されていないとき、ＣＰＵ１１１は、直ちに、ステップＳＴ８に進む。
【００７０】
また、ステップＳＴ５で静止画データに大サムネイル画像の圧縮画像データが含まれているとき、ＣＰＵ１１１は、ステップＳＴ１１２に移る。すなわち、このステップＳＴ１２において、ＣＰＵ１１１は、カメラ１３０あるいはパーソナルコンピュータ１４０から、ユーザが選択した画像に対応した静止画データに含まれる画像情報を読み出し、当該静止画データに係る原画像のサイズが一定サイズ以下であるか否かを判別する。
【００７１】
原画像の画像サイズが一定サイズ以下でないとき、ＣＰＵ１１１は、ステップＳＴ６に進む。一方、原画像の画像サイズが一定サイズ以下であるとき、ＣＰＵ１１１は、直ちに、ステップＳＴ８に進む。この図７のフローチャートにおける、その他のステップについては、図４のフローチャートと同様である。
【００７２】
テレビ受信機１１０が図７のフローチャートで示すように動作する場合、当該テレビ受信機１１０は、静止画表示時に、高速モードが設定されており、かつ原画像の画像サイズが一定サイズ以下でないときには、ユーザが選択した画像に係る静止画データに大サムネイル画像の圧縮画像データが含まれていれば、カメラ１３０またはパーソナルコンピュータ１４０から当該大サムネイル画像の圧縮画像データを読み出し、当該画像データに対してデコード処理を施し、ディスプレイ１１９に、当該ディスプレイ１１９における静止画表示サイズと同じ画像サイズの大サムネイル画像を表示する。したがって、ディスプレイ１１９に高品質の画像を短い待ち時間で表示できる。
【００７３】
一方、テレビ受信機１１０は、静止画表示時に、少なくとも、高速モードが設定されていないか、原画像の画像サイズが一定サイズ以下であるときには、ユーザが選択した画像に係る静止画データに大サムネイル画像の圧縮画像データが含まれていても、カメラ１３０またはパーソナルコンピュータ１４０から原画像の圧縮画像データを読み出し、当該圧縮画像データに対してデコード処理を施し、ディスプレイ１１９に、原画像データによる画像を表示する。したがって、ディスプレイに、最初から、より高品質の画像を表示することが可能となる。
【００７４】
なお、図７に示すフローチャートにおいて、高速モードが選択されているか否かを判別するステップＳＴ１１の処理、大サムネイル画像データがあるか否かを判別するステップＳＴ５の処理、原画像の画像サイズが一定サイズ以下であるか否かを判別するステップＳＴ１２の処理の順になっているが、これらの処理の順番はこの順に限定されない。
【００７５】
次に、テレビ受信機１１０における、カメラ１３０あるいはパーソナルコンピュータ１４０に存在する静止画データを利用した静止画表示時のさらに別の動作例を、図８のフローチャートを参照して説明する。
【００７６】
まず、ＣＰＵ１１１は、ステップＳＴ２１において、静止画表示処理を開始する。この場合、ＣＰＵ１１１は、ユーザがユーザ操作部１１４を操作して静止画表示を指示するとき、静止画表示処理を開始する。
【００７７】
次に、ＣＰＵ１１１は、ステップＳＴ２２において、カメラ１３０に装着されているメモリカード１３１からＵＳＢ経由で各静止画データにおけるタイトル情報およびサムネイル画像（１６０×１２０）の圧縮画像データを読み出し、ＲＡＭ１１３に一時的に蓄積する。同様に、ＣＰＵ１１１は、ステップＳＴ２２において、パーソナルコンピュータ１４０のＨＤＤからイーサネット経由で各静止画データにおけるタイトル情報およびサムネイル画像（１６０×１２０）の圧縮画像データを読み出し、ＲＡＭ１１３に一時的に蓄積する。
【００７８】
次に、ＣＰＵ１１１は、ステップＳＴ２３において、ステップＳＴ２２でＲＡＭ１１３に蓄積された各静止画データのサムネイル画像の圧縮画像データのデコードを行う。また、ＣＰＵ１１１は、ステップＳＴ２３において、グラフィックス・ビデオ表示部１１８に、当該デコード処理後の各サムネイル画像の画像データおよびタイトル情報に基づいて、複数のサムネイル画像を一覧表示するための画像データを作成させ、ディスプレイ１１９に複数のサムネイル画像の一覧表示が行われるようにする。
【００７９】
次に、ユーザは、ステップＳＴ２４において、ディスプレイ１１９に表示された複数のサムネイル画像の一覧表示を参照して、所望の画像を選択する。ユーザの選択操作は、ユーザ操作部１１４により行われる。
【００８０】
ステップＳＴ２４でユーザが所望の画像を選択したとき、ＣＰＵ１１１は、ステップＳＴ２５に移る。このステップＳＴ２５において、ＣＰＵ１１１は、カメラ１３０あるいはパーソナルコンピュータ１４０から、ユーザが選択した画像に対応した静止画データに含まれている、画像サイズが最小であるサムネイル画像の圧縮画像データを読み出し、ＲＡＭ１１３に一時的に蓄積する。そして、ＣＰＵ１１１は、ＲＡＭ１１３に蓄積したサムネイル画像の圧縮画像データに対してデコード処理を施して、ディスプレイ１１９に、当該最小画像サイズのサムネイル画像を表示する。
【００８１】
次に、ＣＰＵ１１１は、ステップＳＴ２６において、ユーザが選択した画像に対応した静止画データから画像情報を読み出し、当該静止画データに次の大きさのサムネイル画像の圧縮画像データが含まれているか否かを判別する。静止画データに次の大きさのサムネイル画像の圧縮画像データが含まれているとき、ＣＰＵ１１１は、ステップＳＴ２７において、カメラ１３０あるいはパーソナルコンピュータ１４０から、ユーザが選択した画像に対応した静止画データに含まれている、次の大きさのサムネイル画像の圧縮画像データを読み出し、ＲＡＭ１１３に一時的に蓄積する。
【００８２】
そして、ＣＰＵ１１１は、ステップＳＴ２７において、ＲＡＭ１１３に蓄積した次の大きさのサムネイル画像の圧縮画像データに対してデコード処理を開始する。また、ＣＰＵ１１１は、ステップＳＴ２８において、グラフィックス・ビデオ表示部１１８で、前のサムネイル画像を次のサムネイル画像の大きさまで順次拡大していくスケーリング処理を開始する。これにより、ディスプレイ１１９に表示される画像は順次拡大していく。
【００８３】
次に、ＣＰＵ１１１は、ステップＳＴ２９において、拡大が終了し、かつデコードが終了したか否かを判別する。いずれも終了したとき、ＣＰＵ１１１は、ステップＳＴ３０において、次の大きさのサムネイル画像のデコード処理後の画像データを、グラフィックス・ビデオ表示部１１８を通じてディスプレイ１１９に供給し、ディスプレイ１１９に表示される画像を、次の大きさのサムネイル画像に置き換える。ＣＰＵ１１１は、このステップＳＴ３０の処理の後、ステップＳＴ２６に戻り、上述したと同様の処理を繰り返し行う。
【００８４】
また、ステップＳＴ２６で静止画データに次の大きさのサムネイル画像が含まれていないとき、ＣＰＵ１１１は、ステップＳＴ３１において、カメラ１３０あるいはパーソナルコンピュータ１４０から、ユーザが選択した画像に対応した静止画データに含まれている、原画像の圧縮画像データを読み出し、ＲＡＭ１１３に一時的に蓄積する。
【００８５】
そして、ＣＰＵ１１１は、ステップＳＴ３１において、ＲＡＭ１１３に蓄積した原画像の圧縮画像データに対してデコード処理を開始する。また、ＣＰＵ１１１は、ステップＳＴ３２において、グラフィックス・ビデオ表示部１１８で、前のサムネイル画像をディスプレイ１１９における静止画表示サイズまで順次拡大していくスケーリング処理を開始する。これにより、ディスプレイ１１９に表示される画像は順次拡大していく。なお、前のサムネイル画像の画像サイズがディスプレイ１１９における静止画表示サイズと同じであるときは、ＣＰＵ１１１は、当該ステップＳＴ３２の処理を行わない。
【００８６】
次に、ＣＰＵ１１１は、ステップＳＴ３３において、拡大が終了し、かつデコードが終了したか否かを判別する。いずれも終了したとき、ＣＰＵ１１１は、ステップＳＴ３４において、デコード処理後の画像データに対して、グラフィックス・ビデオ表示部１１８で、画像サイズをディスプレイ１１９における静止画表示サイズに合わせるダウンスケーリングの処理を施し、ディスプレイ１１９に表示される画像を、原画像データによる画像に置き換える。ＣＰＵ１１１は、このステップＳＴ３４の処理の後に、ステップＳＴ３５に移り、静止画表示処理を終了する。
【００８７】
テレビ受信機１１０が図８のフローチャートで示すように動作する場合、ディスプレイ１１９には、ユーザの所望の画像の選択に対応して、画像サイズの小さい方からサムネイル画像が順次表示され、最終的に、原画像データによる画像が表示される。この場合、画像サイズの小さなサムネイル画像の圧縮画像データに対するデコード処理に要する時間は短い。そのため、ユーザが所望の画像を選択した後に短時間で最初の画像を表示でき、さらに表示画像が順次大きなサムネイル画像に変化していき、最終的にディスプレイ１１９に原画像データによる高品質の画像を表示でき、ユーザにストレスを与えることなく、最終的にはユーザに高品質な画像を提示できる。
【００８８】
また、テレビ受信機１１０が図８のフローチャートで示すように動作する場合、ディスプレイ１１９に表示される画像は、次の画像サイズの画像と同じ大きさになるまで順次拡大されてから、次の画像サイズの画像に置き換えられる。そのため、画像の置き換えをユーザに違和感を与えることなく、スムーズに行うことができる。
【００８９】
ここで、図２（ａ）に示すような静止画データ３００に関して、ディスプレイ１１９に表示される画像がどのように変化していくか説明する。最初はサムネイル画像の圧縮画像データ３２０に対応したサムネイル画像（１６０×１２０）が表示され、その後、このサムネイル画像の画像サイズが順次拡大されていって最終的にディスプレイ１１９における静止画表示サイズ（１９２０×１０８０）と同じくなり、その後、原画像の圧縮画像データ３１０に対応した高品質な画像に置き換えられる。
【００９０】
また、図２（ｂ）に示すような静止画データ３００Ａに関して、ディスプレイ１１９に表示される画像がどのように変化していくか説明する。最初はサムネイル画像の圧縮画像データ３２０に対応したサムネイル画像（１６０×１２０）が表示され、その後、このサムネイル画像の画像サイズが順次拡大されていって最終的にディスプレイ１１９における静止画表示サイズ（１９２０×１０８０）と同じくなり、その後、画像サイズがＨＤ（１９２０×１０８０）のサムネイル画像の圧縮画像データ３４０に対応した高品質な画像に置き換えられ、さらにその後、原画像の圧縮画像データ３１０に対応したより高品質な画像に置き換えられる。
【００９１】
また、図２（ｃ）に示すような静止画データ３００Ｂに関して、ディスプレイ１１９に表示される画像がどのように変化していくか説明する。
【００９２】
まず、静止画データ３００Ｂについて説明する。静止画データ３００Ｂは、静止画データ３００Ａと同様に、原画像の圧縮画像データ３１０と、サムネイル画像の圧縮画像データ３２０と、大サムネイル画像の圧縮画像データ３４０と、各種情報３３０を含んでおり、さらに、中サムネイル画像の圧縮画像データ３５０を含んでいる。
【００９３】
ここで、中サムネイル画像とは、ＶＧＡ(Video Graphics Array)に対応した画像サイズ（６４０×４８０）のサムネイル画像である。また、この静止画データ３００Ｂにおいては、各種情報３３０には、撮影日時、撮影条件等の撮影情報、およびタイトル、原画像の縦横の画素数等の画像情報が含まれている他、大サムネイル画像の圧縮画像データ３４０および中サムネイル画像の圧縮画像データ３５０に関する情報３３０Ｂも含まれている。
【００９４】
画像の変化について説明する。最初はサムネイル画像の圧縮画像データ３２０に対応したサムネイル画像（１６０×１２０）が表示され、その後、このサムネイル画像の画像サイズが順次拡大されていって最終的に次の大きさのサムネイル画像の画像サイズ（６４０×４８０）と同じくなり、その後、画像サイズがＶＧＡ（６４０×４８０）のサムネイル画像の圧縮画像データ３５０に対応した画像に置き換えられる。
【００９５】
その後、このサムネイル画像の画像サイズが順次拡大されていって最終的にディスプレイ１１９における静止画表示サイズ（１９２０×１０８０）と同じくなり、その後、画像サイズがＨＤ（１９２０×１０８０）のサムネイル画像の圧縮画像データ３４０に対応した高品質な画像に置き換えられ、さらにその後、原画像の圧縮画像データ３１０に対応したより高品質な画像に置き換えられる。
【００９６】
なお、上述の実施の形態においては、この発明をテレビ受信機１１０に適用したものであるが、この発明は、放送信号の受信機能の部分がその他の機能に置き換わった他の電子機器にも同様に適用できる。
【産業上の利用可能性】
【００９７】
この発明は、カメラ、パーソナルコンピュータ等が保持している静止画データを読み出して静止画を表示するテレビ受信機等の電子機器に適用できる。
【図面の簡単な説明】
【００９８】
【図１】この発明の実施の形態としての画像表示システムの構成例を示すブロック図である。
【図２】静止画データの構成例を示す図である。
【図３】画像表示装置としてのテレビ受信機の構成例を示すブロック図である。
【図４】テレビ受信機における、カメラあるいはパーソナルコンピュータに存在する静止画データを利用した静止画表示時の動作例を示すフローチャートである。
【図５】テレビ受信機における、カメラあるいはパーソナルコンピュータに存在する静止画データを利用した静止画表示時の他の動作例を示すフローチャートである。
【図６】テレビ受信機における、カメラあるいはパーソナルコンピュータに存在する静止画データを利用した静止画表示時のさらに他の動作例を示すフローチャートである。
【図７】テレビ受信機における、カメラあるいはパーソナルコンピュータに存在する静止画データを利用した静止画表示時の別の動作例を示すフローチャートである。
【図８】テレビ受信機における、カメラあるいはパーソナルコンピュータに存在する静止画データを利用した静止画表示時のさらに別の動作例を示すフローチャートである。
【符号の説明】
【００９９】
１００・・・画像表示システム、１１０・・・テレビ受信機、１１１・・・ＣＰＵ、１１２・・・ＲＯＭ、１１３・・・ＲＡＭ、１１４・・・ユーザ操作部、１１５・・・受信部、１１６・・・ＵＳＢインタフェース、１１７・・・イーサネットインタフェース、１１８・・・グラフィックス・ビデオ表示部、１１９・・・ディスプレイ、１２０・・・内部バス、１２１・・・アンテナ端子、１２２・・・ＵＳＢコネクタ、１２３・・・イーサネットコネクタ、１３０・・・カメラ、１３１・・・メモリカード、１４０・・・パーソナルコンピュータ、１４１・・・ルータ、１４２・・・ハードディスクドライブ、３００，３００Ａ，３００Ｂ・・・静止画データ
【図１】
0005023870.tif 000002
【図２】
0005023870.tif 000003
【図３】
0005023870.tif 000004
【図４】
0005023870.tif 000005
【図５】
0005023870.tif 000006
【図６】
0005023870.tif 000007
【図７】
0005023870.tif 000008
【図８】
0005023870.tif 000009